(57)【要約】【課題】  小形化を図り、携帯性が向上された音響出力装置を提供する。【解決手段】  本体部２の一側部に、板状の第１スピーカ部３が角変位可能に連結され、本体部２の他側部に、板状の第２スピーカ部４が角変位可能に連結され、第１および第２スピーカ部３，４は、スピーカ８，９を備える。本体部２の一側部および他側部に第１および第２スピーカ部３，４角変位可能に連結されることによって、第１および第２スピーカ部３，４を本体部２に重なるように折り畳んだ状態として小形化する。【選択図】      図１
2014212445.tif 000002
【特許請求の範囲】
【請求項１】
音響信号の再生に関連する指令を入力するための操作部および該操作部の操作に応答して音響信号を出力する信号処理部を備える板状の本体部と、
前記信号処理部から出力された音響信号を再生するための第１スピーカが備えられ、前記本体部の一側部に角変位可能に連結される板状の第１スピーカ部と、
前記信号処理部から出力された音響信号を再生するための第２スピーカが備えられ、前記本体部の他側部に角変位可能に連結される板状の第２スピーカ部とを含むとともに、
前記本体部、前記第１スピーカ部および前記第２スピーカ部が重なるように折畳み可能であることを特徴とする音響出力装置。
【請求項２】
前記本体部には、前記音響信号を再生するための第３スピーカが備えられることを特徴とする請求項１に記載の音響出力装置。
【請求項３】
前記本体部には、外部機器と無線通信するための通信部が備えられ、該通信部を介して前記音響信号が入力されることを特徴とする請求項１または２に記載の音響出力装置。
【請求項４】
前記本体部には、前記通信部に接続される集音部が備えられ、該集音部から入力した音響信号を、前記通信部を介して前記外部機器に送信可能であることを特徴とする請求項３に記載の音響出力装置。
【請求項５】
前記本体部には、外部機器と有線で接続するための接続部が備えられ、該接続部を介して前記音響信号が入力されることを特徴とする請求項１〜４のいずれか１つに記載の音響出力装置。
【請求項６】
前記第１および第２スピーカは、電界スピーカであることを特徴とする請求項１〜４のいずれか１つに記載の音響出力装置。
【請求項７】
前記第３スピーカは、電磁スピーカであることを特徴とする請求項２および請求項２を引用する請求項３〜６のいずれか１つに記載の音響出力装置。
【発明の詳細な説明】
【技術分野】
【０００１】
本発明は、電話会議システムおよび携帯端末装置などの音源機器から無線または有線で受信した音響信号を出力することができる音響出力装置に関する。
【背景技術】
【０００２】
従来技術では、電源スイッチ、ボリューム、パワーアンプ、入力端子、電池などを内蔵した平板状の本体部と、本体部とパイプによって連結され、平面スピーカユニットを内蔵した第１および第２スピーカ部とを備える音響出力装置が提案されている（たとえば、特許文献１，２を参照）。
【先行技術文献】
【特許文献】
【０００３】
【特許文献１】特開２００３−３２７８１号公報
【特許文献２】特表２００７−５３５８６６号公報
【発明の概要】
【発明が解決しようとする課題】
【０００４】
前記従来技術では、第１および第２スピーカ部が本体部に対して起立させた状態から、本体部と一平面を成すように傾倒させた状態に変位させることができる。そして、第１および第２スピーカ部、本体部が一枚の板状になることで、その板状の形態を鞄などに収容可能な程度に小形化することができる。しかしながら、現在ではさらなる小形化、薄型化によって、より高い携帯性が求められる。
【０００５】
本発明の目的は、小形化を図り、携帯性が向上された音響出力装置を提供することである。
【課題を解決するための手段】
【０００６】
本発明は、音響信号の再生に関連する指令を入力するための操作部および該操作部の操作に応答して音響信号を出力する信号処理部を備える板状の本体部と、前記信号処理部から出力された音響信号を再生するための第１スピーカが備えられ、前記本体部の一側部に角変位可能に連結される板状の第１スピーカ部と、前記信号処理部から出力された音響信号を再生するための第２スピーカが備えられ、前記本体部の他側部に角変位可能に連結される板状の第２スピーカ部とを含むとともに、前記本体部、前記第１スピーカ部および前記第２スピーカ部が重なるように折畳み可能であることを特徴とする音響出力装置である。
【発明の効果】
【０００７】
本発明によれば、第１および第２スピーカ部は、本体部の一側部および他側部において角変位可能に連結されるので、音響信号を再生しない未使用時には、第１および第２スピーカ部を本体部に対して、重なるように折り畳んだ状態とし、第１および第２スピーカ部を本体部に対して展開させた状態に比べて格段に小形化することができる。これによって、音響出力装置をたとえば衣服のポケットなどに収容できる程度に小形化することが可能となり、携帯性を向上することができる。
【図面の簡単な説明】
【０００８】
【図１】本発明の一実施形態の音響出力装置１の展開された状態を示す斜視図である。
【図２】図１に示す音響出力装置１が折畳まれた使用状態を示す斜視図である。
【図３】音響出力装置の分解斜視図である。
【図４】折畳まれた状態の音響出力装置１の平面図である。
【図５】折畳まれた状態の音響出力装置１の底面図である。
【図６】折畳まれた状態の音響出力装置１の左側面図である。
【図７】折畳まれた状態の音響出力装置１の右側面図である。
【図８】展開された状態の音響出力装置１の正面図である。
【図９】展開された状態の音響出力装置１の平面図である。
【図１０】音響出力装置１の他の使用状態を示す斜視図である。
【発明を実施するための形態】
【０００９】
図１は、本発明の一実施形態の音響出力装置１の展開された使用状態を示す斜視図であり、図２は図１に示す音響出力装置１が折畳まれた状態を示す斜視図であり、図３は音響出力装置１の分解斜視図である。本実施形態の音響出力装置１は、板状の本体部２と、板状の第１スピーカ部３と、板状の第２スピーカ部４とを備える。なお、音響出力装置１は、図２に示すように、例えば、上下方向の長さが４５ｍｍ以上８０ｍｍ以下であって、操作部５が設けられた面を平面視したときの短辺の長さが、１５ｍｍ以上３５ｍｍ以下であって、長辺の長さが、１００ｍｍ以上１５０ｍｍ以下に設定されている。
【００１０】
本体部２は、音響信号の再生に関連する指令を入力するための操作部５と、操作部５の操作に応答して音響信号を出力する信号処理部６とを有する。本体部２には、音響信号を再生するための第３スピーカ１４が備えられる。信号処理部６は、中央演算処理装置（Central Processing Unit；略称ＣＰＵ）によって実現される。
【００１１】
第１スピーカ部３は、信号処理部６から出力された音響信号を再生するための第１スピーカ８を備えている。第１スピーカ部３は、本体部２の一側部に第１軸線Ｌ１まわりに角変位可能に連結される。なお、第１スピーカ部３は、例えば、上下方向の長さが４５ｍｍ以上８０ｍｍ以下であって、操作部５が設けられた面を平面視したときの短辺の長さが、５ｍｍ以上１２ｍｍ以下であって、長辺の長さが１００ｍｍ以上１５０ｍｍ以下に設定されている。
【００１２】
第２スピーカ部４は、信号処理部６から出力された音響信号を再生するための第２スピーカ９を備えている。第２スピーカ部４は、本体部２の他側部に第２軸線Ｌ２まわりに角変位可能に連結される。なお、第２スピーカ部４は、例えば、上下方向の長さが４５ｍｍ以上８０ｍｍ以下であって、操作部５が設けられた面を平面視したときの短辺の長さが、５ｍｍ以上１２ｍｍ以下であって、長辺の長さが１００ｍｍ以上１５０ｍｍ以下に設定されている。
【００１３】
本体部２は、正面カバー体１０と、背後カバー体１１と、操作部５と、回路基板ユニット１２と、スピーカフレーム１３と、第３スピーカ１４と、電池１５とを有する。回路基板ユニット１２、スピーカフレーム１３、第３スピーカ１４および電池１５は、正面カバー体１０と背後カバー体１１との間の内部空間に収容される。回路基板ユニット１２は、内部空間の上部領域に配置され、スピーカフレーム１３、第３スピーカ１４および電池１５は、内部空間の下部領域に配置される。電池１５は、たとえばリチウムイオン電池によって実現され、充電して繰り返し利用可能なものが採用される。
【００１４】
操作部５は、回路基板ユニット１２の配線基板１７の一側部に実装される複数のスイッチング素子ＳＷ１〜ＳＷ４と、各スイッチング素子ＳＷ１〜ＳＷ４のプランジャに背後カバー体１１の外部から装着される複数の操作ボタンＢ１〜Ｂ４とを含んで構成される。各スイッチング素子ＳＷ１〜ＳＷ４の各端子は、信号処理部６に接続され、信号処理部６には各スイッチング素子ＳＷ１〜ＳＷ４のスイッチング態様の変化に応じた信号が、信号処理される。信号処理部６はまた、通信部としても機能し、たとえばBluetooth（登録商標）およびＷｉ−Ｆｉ（登録商標）などの通信規格に従って外部機器と通信し、音響信号を送受信することができる。
【００１５】
操作ボタンＢ１を押下すると、操作ボタンＢ１が装着されたスイッチング素子ＳＷ１のプランジャ部分が変位してスイッチング態様が変化する。そして、スイッチング素子ＳＷ１のスイッチング態様が変化することで、それに応じた信号が発生する。さらに、その信号が配線基板１７に実装される信号処理部６に入力されて、音量を増加させることができる。
【００１６】
また操作ボタンＢ２を押下すると、操作ボタンＢ２が装着されたスイッチング素子ＳＷ２のプランジャ部分が変位してスイッチング態様が変化する。そして、スイッチング素子ＳＷ２のスイッチング態様が変化することで、それに応じた信号が発生する。さらに、その信号が信号処理部６に入力されて、音量を減少させることができる。
【００１７】
さらに操作ボタンＢ３を押下すると、操作ボタンＢ３が装着されたスイッチング素子ＳＷ３のプランジャ部分が変位してスイッチング態様が変化する。そして、スイッチング素子ＳＷ３のスイッチング態様が変化することで、それに応じた信号が発生する。さらに、その信号が信号処理部６に入力されて、電話通信機能を起動させて呼出し信号を出力し、発呼することができる。
【００１８】
さらに操作ボタンＢ４を押下すると、操作ボタンＢ４が装着されたスイッチング素子ＳＷ４のプランジャ部分が変位してスイッチング態様が変化する。そして、スイッチング素子ＳＷ４のスイッチング態様が変化することで、それに応じた信号が発生する。さらに、その信号が信号処理部６に入力されて、回路基板ユニット１２の電源電力のオン／オフを切換えることができる。
【００１９】
背後カバー体１１には、集音孔２０が形成され、この集音孔２０が形成される部位にはマイクロフォンＭが設置される。集音孔２０は、本体部２の一部である背後カバー１１に形成されているが、外部の音を通りやすくできる箇所であれば、集音孔２０は本体部２のどこに設けられていても良い。マイクロフォンＭは、集音孔２０を通った音を電気信号に変換することができる。そして、マイクロフォンＭは、音を電気信号に変換して、回路基板ユニット１２の音による電気信号を伝達する。さらには、回路基板ユニット１２に伝わった音による電気信号を外部の機器に伝送され、外部の機器から音が再生される。背後カバー体１１の集音孔２０が形成される部位と、マイクロフォンＭとを含んで、集音部を構成する。
【００２０】
背後カバー体１１にはまた、電源電力の供給時には点灯し、未供給時は消灯して、電源電力のオン／オフを表示するインジケータランプ２１が設けられる。また、インジケータランプ２１は、電源電力がオン状態において、電池１５のバッテリー状態が良好のときは、青色光を発し、電池１５のバッテリー状態が悪化しているときは、赤色光を発する。このインジケータランプ２１は、たとえば発光ダイオード（Light Emitting Diode；略称ＬＥＤ）によって実現されてもよい。
【００２１】
第１スピーカ部３は、正面カバー体２３と、背後カバー体２４と、第１スピーカ８と、押え枠体２５とを有する。正面カバー体２３は、その中央の領域に多数の透孔２６が形成される長方形の板状部分２７と、板状部分２７の長手方向の一端部に連なり、円筒体の一部を成す中間ヒンジ片２８とを有する。なお、透孔２６は、励振器３０にて発生した音を第１スピーカ部３内から外部に向かって、進行しやすくするためのものである。
【００２２】
背後カバー体２４は、中央の領域に多数の透孔３５が形成される長方形の板状部分３６と、板状部分３６の長手方向の一端部に連なり、円筒体の一部を成す中間ヒンジ片３７とを有する。ここで、透孔２６と透孔３５は、第１スピーカ部３内では励振器３０を間に挟んで、両サイドに形成されている。その結果、励振器３０にて発生した音響は、透孔２６または透孔３５の両方から外部に向かって進行しやすくすることができる。
【００２３】
第１スピーカ８は、複数（本実施形態では２）の励振器３０と、フィルム３１と、フィルム３１の周縁部を厚み方向両側から挟持する２つの枠部材３２と、樹脂層（図示せず）と、複数の導線３４と、負荷部材（図示せず）とを有する。フィルム３１上には、各励振器３０と負荷部材とが形成され、各励振器３０と負荷部材とが各導線３４で接続された状態で、各枠部材３２の内側の領域に樹脂層によって被覆されて、振動体を構成している。
【００２４】
フィルム３１は、面方向に張力が負荷された状態で、その周縁部が各枠部材３２によって挟持される。フィルム３１は、その厚みが１０〜２００μｍであって、たとえばポリエチレン、ポリイミド、ポリプロピレン、ポリスチレンなどの樹脂、あるいは加工紙から成る。励振器３０のフィルム３１側の主面とフィルム３１とは両面テープなどを介して接着される。なお、フィルム３１自体をスポンジに代えて、スポンジ上に励振器３０を両面テープで貼り合わせて構造としてもよい。フィルム３１よりも柔軟性があるスポンジとすることで、励振器３０を変形しやすくすることができ、音響を大きくすることができる。
【００２５】
振動体の周縁部は、押え枠体２５によって背後カバー体２４にビス止めされて固定される。各導線３４に信号処理部６から音響信号の電圧が印加されることによって、励振器３０が振動し、さらには振動体が振動して、音響が放射される。つまり、第１スピーカ部３内には、電気信号を音響に変換することができる励振器３０が内蔵されており、本体部２からの電気信号に応じて、音響を発生させることができる。励振器３０は、音の指向性が低く、全方向に音響を発生させるため、第１スピーカ部３の表裏の両方から外部に向かって音響が進行する。
【００２６】
第２スピーカ部４は、第１スピーカ部３と同様に、正面カバー体４３と、背後カバー体４４と、第２スピーカ９と、押え枠体４５とを有する。正面カバー体４３は、中央の領域に多数の透孔４６が形成される長方形の板状部分４７と、板状部分４７の長手方向の一端部に連なり、円筒体の一部を成す中間ヒンジ片４８とを有する。
【００２７】
背後カバー体４４は、中央の領域に多数の透孔４９が形成される長方形の板状部分５０と、板状部分５０の長手方向の一端部に連なり、円筒体の一部を成すヒンジ片５１とを有する。第２スピーカ９は、第１スピーカ８と同様に構成される。第２スピーカ部４は、第１スピーカ部３と同様に、第２スピーカ部内４に、電気信号を音響に変換することができる励振器３０が内蔵されており、本体部２からの電気信号に応じて、音響を発生させることができる。励振器３０は、音の指向性が低く、全方向に音響を発生させるため、第２スピーカ部４の表裏の両方から外部に向かって音響が進行する。
【００２８】
図４は、折畳まれた状態の音響出力装置の平面図である、図５は折畳まれた状態の音響出力装置の底面図である。図１〜図３をも参照して、第１および第２スピーカ部３，４が本体部２に対して角変位可能な構成について説明する。本体部２の背後カバー部１１は、略長方形で平板状の基部５３と、基部５３の一方の長辺側端部から直角に屈曲して連なる天板部５４と、基部５３の他方の長辺側端部から直角に屈曲して連なる底板部５５と、天板部５３の長手方向両端部に同一平面に沿って連なる２つの円板状の天板側端板５６，５７と、底板部５５の長手方向両端部に同一平面に沿って連なる２つの円板状の底板部側端板５８，５９と、各天板側端板５６，５７および各底板部側端板５８，５９から互いに近接する方向に突出し、円筒体の一部を成すヒンジ片６０，６１；６２，６３とを有する。基部５３には、第３スピーカ１４が露出するように開口する放音用開口６４が形成される。
【００２９】
正面カバー体１０は、略長方形で平板状の基部６５と、基部６５の長手方向一端部でかつ短辺方向の両端部に連なり、円筒体の一部を成す２つのヒンジ片６６，６７と、基部６５の長手方向他端部でかつ短辺方向の両端部に連なり、円筒体の一部を成す２つのヒンジ片６８，６９とを有する。基部６５には、第３スピーカ１４のコーン部が露出するように、放音用開口７０が形成される。
【００３０】
各ヒンジ片６６，６７間には、第１スピーカ部３の正面カバー体２３の中間ヒンジ片２８および背後カバー体３６の中間ヒンジ片３７が嵌合する。また各ヒンジ片６８，６９間には、第２スピーカ部４の正面カバー体４７の中間ヒンジ片４８および背後カバー体４４が嵌合する。
【００３１】
各中間ヒンジ片２８，３７の第１軸線Ｌ１方向の両端部は、細筒状のヒンジピン部分を構成し、このヒンジピン部分は、本体部２の正面カバー体１０と背後カバー体１１とが複数のビスなどによって接合されることによって、各ヒンジ片６０，６６；６２，６７によって両側から挟持され、第１軸線Ｌ１まわりに角変位可能に保持される。
【００３２】
各ヒンジ片６８，６９には、本体部２の背後カバー体１１の各ヒンジ片６１，６３が嵌合し、これらは第２スピーカ部４の背後カバー体４４に設けられるヒンジ片５１によって外側から覆われ、第２軸線Ｌ２まわりに角変位可能に保持される。
【００３３】
図６は、折畳まれた状態の音響出力装置１の左側面図であり、図７は折畳まれた状態の音響出力装置１の右側面図である。第２スピーカ部４の背後カバー体４４における前述のヒンジ片５１には、外部機器の出力プラグを接続可能な入力ジャック７３が接続部として設けられるとともに、ＡＣ電源アダプタの出力プラグを接続可能な電源入力端子７４が設けられる。
【００３４】
図８は、展開された状態の音響出力装置１の正面図であり、図９は展開された状態の音響出力装置１の平面図である。第１および第２スピーカ部３，４を本体部２に対して展開して開放させた状態では、指向性を有する。第１スピーカ部３は、例えば、本体部２に対して、第１軸線Ｌ１まわりに角度θ１が０°以上、１３０°以下の範囲で角変位させることができる。また、第２スピーカ部４もまた、本体部２に対して、第２軸線Ｌ２まわりに角度θ２が０°以上、１３０°以下の範囲で角変位させることができる。
【００３５】
このように第１および第２スピーカ部３，４が本体部２に対して角変位可能に構成されるので、図１０の斜視図に示されるように、第１スピーカ部３の側端部３ａと第２スピーカ部４の側端部４ａとを遊嵌合させた状態に角変位させて、外観がいわば三角筒状となるように組立て、指向性がほとんどない状態で、全方向に音響を放射することができる。しかも、マイクロフォンＭを内蔵しているので、音響出力装置１を電話会議システムでの通信機能を有するスピーカフォンとして使用することができる。つまり、図１０に示すように、音響電力装置１が操作部５を平面視したときに、平面視して三角形状に形成することができる。そして、第１スピーカおよび第２スピーカ部３，４の両主面から音響を発生させることで、特定方向でなく、会議室などの全方位の人に音響を伝えやすくすることができる。
【００３６】
以上のように本実施形態によれば、第１および第２スピーカ部３，４が本体部２の一側部および他側部において角変位可能に連結されるので、音響信号を再生しない未使用時には、第１および第２スピーカ部３，４を本体部２に対して、重なるように折り畳んだ状態とすることができる。その結果、第１および第２スピーカ部３，４を本体部２に対して展開させた状態に比べて格段に小形化して、占有体積が小さい状態とすることができる。これによって、音響出力装置１を衣服のポケットなどに収容することができ、携帯性を向上することができる。
【００３７】
また、本体部２に音響信号を再生するための第３スピーカ１４が備えられるので、第１および第２スピーカ３，４を主に中高音の音域を出力させ、第３スピーカ１４を主に低音の音域を出力させて、第１〜第３スピーカ３，４，１４が担う音域を異ならせることができる。これによって、第１および第２スピーカ３，４だけを具備する場合に比べて、音質などの音響特性を向上することができる。
【００３８】
また、本体部２に携帯電話機などの外部機器と無線通信するための通信部を構成する信号処理部６が設けられ、信号処理部６を介して音響信号が入力することができる。そして、音響出力装置１を無線タイプにすることで、外部機器と音響出力装置１とを信号線で接続する必要がなく、外部機器に対する配置上の制限が少なく、配置上の自由度が高くなり、使用上の利便性を向上することができる。
【００３９】
また、本体部２に通信部としての信号処理部６に接続されるマイクロフォンＭなどを含んで構成される集音部が備えられ、該集音部から入力した音響信号を、信号処理部６を介して外部機器に送信することができる。したがって音響出力装置１は、信号処理部６が受信した音響信号を再生して出力するだけでなく、集音部によって集音された音響信号を送信することができるので、外部機器である携帯端末装置（例えば、スマートフォン）から入力した音響信号（例えば、クラシック音楽）を再生して出力するだけでなく、電話会議システムに利用することができ、汎用性の高い音響出力装置を実現することができる。なお、音響出力装置１は、全体のカラーを黒色に統一することで、全体のカラーを白色に統一するよりも、人間の視覚的には、より薄く小型に認識させるように作用することができる。
【００４０】
また、本体部２に外部機器と有線で接続するための接続部である入力ジャック７３が備えられ、この入力ジャック７３を介して音響信号を入力することができる。これによって、無線による通信機能を具備しない携帯型ＣＤプレーヤなどの外部機器であっても、その外部機器から音響信号を、接続部を介して取込んで再生することができ、これによってもまた、汎用性の高い音響出力装置を実現することができる。
【００４１】
また、第１および第２スピーカ８，９は、電界スピーカであるので、第１スピーカ部３および第２スピーカ部４の厚みを小さくして全体の薄型化を図り、携帯性をより一層向上することができる。
【００４２】
また、第３スピーカ１４を電磁スピーカとすることによって、第１および第２スピーカ８，９が負荷する音域とは異なる音域、たとえば低音域の音響信号を出力して再生することができ、音質を向上することができる。つまり、電界スピーカと電磁スピーカの両方を使用することで、音響の発生する周波数領域を広げることができ、より良質の音響を実現することができる。
【符号の説明】
【００４３】
１  音響出力装置
２  本体部
３  第１スピーカ部
４  第２スピーカ部
５  操作部
６  信号処理部
８  第１スピーカ
９  第２スピーカ
１４  第３スピーカ
１５  電池
Ｌ１，Ｌ２  軸線
ＳＷ１〜ＳＷ４  スイッチング素子
【図１】
2014212445.tif 000003
【図２】
2014212445.tif 000004
【図３】
2014212445.tif 000005
【図４】
2014212445.tif 000006
【図５】
2014212445.tif 000007
【図６】
2014212445.tif 000008
【図７】
2014212445.tif 000009
【図８】
2014212445.tif 000010
【図９】
2014212445.tif 000011
【図１０】
2014212445.tif 000012